(57)【要約】【課題】スキャン識別機能を具するスマート・フォーンを提供する。【解決手段】このスキャン識別機能を具するスマート・フォーンは、携帯電話本体に内蔵されたスキャン・モジュール、携帯電話処理モジュール及び文字識別モジュールを含む。本考案は、スキャン・モジュールのセンサー・ユニットを介して映像データをピックアップし、且つスキャン・モジュールのデジタル処理ユニットにより映像データがロジック信号をデジタル信号に変換し、また携帯電話処理モジュールを介して当該デジタル処理ユニットにより変換された後のデジタル信号を受信し、最後に文字識別モジュールを利用することにより、携帯電話処理モジュールに受信されたデジタル信号を文字とするように識別し、且つ携帯電話本体の表示装置に表示する。これにより、従来の携帯電話がキーボードを利用して入力していた不便性を解決でき、必要な文字を素早く入力できるという利点を達成できる。【選択図】図1
0003115025.tif 000002
【実用新案登録請求の範囲】
【請求項１】
スキャン識別機能を具するスマート・フォーンにおいて、
表示装置を具する携帯電話本体と、
前記携帯電話本体上に設置され且つ当該スキャン・モジュールが映像データを読取るために用いられるセンサー・ユニットと当該映像データからロジック信号をデジタル信号に変換するデジタル処理ユニットとを含むスキャン・モジュールと、
前記携帯電話本体内に設置され前記デジタル処理ユニットにより変換された後のデジタル信号を受信するために用いられる携帯電話処理モジュールと、
前記携帯電話本体内に設置され前記携帯電話処理モジュールに受信されたデジタル信号を文字として識別するように用いられ、その文字を前記携帯電話本体の表示装置に表示する文字識別モジュールとを含んでなることを特徴とするスキャン識別機能を具するスマート・フォーン。
【請求項２】
前記センサー・ユニットはセンサーであることを特徴とする請求項1記載のスキャン識別機能を具するスマート・フォーン。
【請求項３】
前記センサーは相補型金属酸化膜半導体センサー（CMOS  Sensor）であることを特徴とする請求項２記載のスキャン識別機能を具するスマート・フォーン。
【請求項４】
当該センサーは電荷結合デバイス・センサー（Charge  Coupled  Device  Sensor；CCD  Sensor）であることを特徴とする請求項２記載のスキャン識別機能を具するスマート・フォーン。
【請求項５】
当該携帯電話処理モジュールはベースバンド（base  band）であることを特徴とする請求項１記載のスキャン識別機能を具するスマート・フォーン。
【請求項６】
当該文字識別モジュールは文字識別ソフトウェアであることを特徴とする請求項１記載のスキャン識別機能を具するスマート・フォーン。
【請求項７】
当該センサー・ユニットは当該携帯電話本体のトップ部に設置されることを特徴とする請求項１記載のスキャン識別機能を具するスマート・フォーン。
【考案の詳細な説明】
【技術分野】
【０００１】
本考案は、スキャン識別機能を具するスマート・フォーン（Smart  Phone）に関し、特にスキャン・モジュール、携帯電話処理モジュール及び文字識別モジュールを配合することにより、文字を識別できるスキャン識別機能を具するスマート・フォーンに関する。
【背景技術】
【０００２】
情報科学技術時代の到来に伴い、また通信ネットワーク技術の進歩により、ポータブル・フォーン（又は携帯電話と言う）が既に最も通常の通信ツールの一つとなっている。携帯電話は、体積が小さく、軽く、携帯に便利で、様々な機能を完備し、かつ価格も安価のため、多くの消費者に好まれている。人々は、携帯電話を介して、短時間で友達または商業仲間と相互にメッセージの伝達を行うことができ、携帯電話は伝統的な有線電話より、簡便かつ容易に使用できるなど、多くの利点を有している。また理論上では、携帯電話の具する無線通信の特性および伝送メッセージ（ニュース・レター又は電子メール）の機能を利用することにより、ユーザーは如何なる地点でも互いに受信し、且つ通信メッセージを発送できる。
【０００３】
ところで、一般の携帯電話は自身のキーボードを利用してデータ（文字）のキー・イン（入力）の動作を行っているが、しかしながら、一般に携帯電話のキーボードは、小さ過ぎるため、キー・インによりデータを入力することには、多くの不便があった。
【０００４】
すなわち、従来の携帯電話の文字入力方式は、実際の使用上では、著しく不便と欠点が存在しており、より改善することが期待されている。
【考案の開示】
【考案が解決しようとする課題】
【０００５】
本考案者は前述の改善可能な欠点を感じ、且つ多年の当該関連する方面に従事する経験に基づき、鋭意観察かつ研究し、また学理の運用に対応するため、設計が合理的で且つ有効に前述の欠点を改善するために本考案を提出するものであって、本考案の目的は、スキャン識別機能を具するスマート・フォーンを提供することにある。
【課題を解決するための手段】
【０００６】
本考案に係るスキャン識別機能を具するスマート・フォーンは、携帯電話本体、スキャン・モジュール、携帯電話処理モジュール及び文字識別モジュールとを含んでなる。前記携帯電話本体は表示装置を具し、前記スキャン・モジュールは前記携帯電話本体上に設置され、映像データを読取るために用いられるセンサー・ユニットと当該映像データからロジック信号をデジタル信号に変換するデジタル処理ユニットとを含む。前記携帯電話処理モジュールは当該携帯電話本体内に設置され、当該デジタル処理ユニットにより変換された後のデジタル信号を受信するために用いられる。また前記文字識別モジュールは前記携帯電話本体内に設置され、前記携帯電話処理モジュールにより受信されたデジタル信号を文字として識別するように用いられ、識別した文字を前記携帯電話本体の表示装置に表示する。
【０００７】
本考案のスキャン識別機能を具するスマート・フォーンは、前記スキャン・モジュールを介して映像データをピックアップし、且つ前記携帯電話処理モジュールの受信及び文字識別機能を具する前記文字識別モジュールの配合により、従来の携帯電話がキーボードを利用して入力していた不便性を解決でき、必要な文字を素早く入力できるという利点を具する。
【０００８】
本考案の目的を達成するために採用される技術、手段、効果は、以下の本考案に関する詳細な説明と添付の図面を参照することで、より一層理解できるが、添付の図面は、参考と説明用のみに供され、本考案をより限定するために用いられるわけではない。
【考案を実施するための最良の形態】
【０００９】
図１を参照すると、図１は本考案のスキャン識別機能を具するスマート・フォーンのシステム・メカニズムの模式図である。図に示すように、本考案のスキャン識別機能を具するスマート・フォーンは、携帯電話本体１、スキャン・モジュール２、携帯電話処理モジュール３、及び文字識別モジュール４とを含む。
【００１０】
前記携帯電話本体１は、携帯電話の図文情報を示すために用いられる表示装置１０を具する。前記スキャン・モジュール２は、前記携帯電話本体１の上に設置され、且つ当該スキャン・モジュール２は、映像データを読取るために用いられるセンサー・ユニット２０と、当該映像データからロジック信号をデジタル信号に変換するデジタル処理ユニット２１とを含み、当該センサー・ユニットは相補型金属酸化膜半導体（Complementary  Metal-Oxide  Semiconductor；CMOS）センサー又は電荷結合デバイス（Charge  Coupled  Device；CCD）センサーである。
【００１１】
前記携帯電話処理モジュール３は、携帯電話本体１の中に設置される。携帯電話処理モジュール３は、ベースバンド（base  band）又はセントラル・プロセッシング・ユニット（CPU）であってもよく、デジタル処理ユニット２１により変換された後のデジタル信号を受信するためのものである。文字識別モジュール４は、携帯電話本体１の中に設置される。また文字識別モジュール４は、内蔵された文字識別ソフトウェアであってもよく、携帯電話処理モジュール３によって受信されたデジタル信号を文字として識別するように用いられ、該文字を携帯電話本体１の表示装置１０に表示する。
【００１２】
図２を参照すると、図２は本考案のスキャン識別機能を具するスマート・フォーンの斜視図である。図に示すように、前記センサー・ユニット２０は携帯電話本体１のトップ部に設置されることにより、ユーザーが当該スキャン識別機能を具するスマート・フォーンを手に握って使用できるように寄与している。しかしながら、センサー・ユニット２０の設置方式は本考案を限定するものではなく、携帯電話本体１の如何なる箇所でも外見であれば、いずれの箇所でも、前記センサー・ユニット２０を設置することにより、スキャンの使用に供することができる。
【００１３】
以上のように、本考案は、誠に珍しい新規な創作製品で、新規性および進歩性を極めて有し、完全に実用新案登録請求の要件に合致する。
【００１４】
以上の説明は、本考案の最も好ましい具体的な実施例における詳細な説明と図面を示したのみであり、本考案の特徴は以上の説明に限定されず、また以上の説明を本考案をより制限するように用いるべきではない。本考案の全ての範囲は、下記の実用新案登録請求の範囲を基準とし、本考案の請求の範囲の精神とその類似変化に合致する実施例は、いずれも本考案の範疇中に含まれるべきであり、本考案の領域内において簡便に思い付くことが出来る変化または仕上げは、いずれも以下の本願の請求の範囲にまとめることができる。
【図面の簡単な説明】
【００１５】
【図１】本考案のスキャン識別機能を具するスマート・フォーンのシステム・メカニズムの模式図である。
【図２】本考案のスキャン識別機能を具するスマート・フォーンの斜視図である。
【符号の説明】
【００１６】
１  携帯電話本体
２  スキャン・モジュール
３  携帯電話処理モジュール
４  文字識別モジュール
１０  表示装置
２０  センサー・ユニット
２１  デジタル処理ユニット
【図１】
0003115025.tif 000003
【図２】
0003115025.tif 000004